Podtech/llm-jp-corpus-v4-ja_patent huggingface dataset:
(57)【要約】      （修正有）【課題】今般一般的になりつつある角型皿で、料理を盛りつけた皿を一時的に厨房内で保管する場合、又客先に配膳する時の運搬に対して、より簡便な枠台で、更に使用していない場合、狭い空間に保管できる角型枠台を提供すること。そこで折り畳みの出来る、或いは積み重ねに出来る角型枠台を発明した。【解決手段】  角型皿に対応した折り畳みの出来る角型枠台、或いは積み重ねの出来る角型置き枠台を開発した。この事によって料理皿の積み重ねによる狭い厨房場所のより有効な利用と、積み重ねた状態で配膳が出来る事、又使用していない場合の枠台の保管等も狭い空間で出来る様になった。【選択図】なし【特許請求の範囲】
【請求項１】
料理を供する皿の置き枠台において、その形状を正方形、或いは長方形にする事を特徴とする。
【請求項２】
請求項１において、４箇所の角が折り畳める事を特徴とする。
【請求項３】
請求項１において、その材質として食品衛生に適合したプラスチック材、ゴム、又金属板、紙、木材を用いる事を特徴とする。
【請求項４】
請求項１において、角型一辺の長さを１５センチメートルから４０センチメートルの範囲で、枠の高さが３センチメートルから１０センチメートルの範囲である事を特徴とする。
【請求項５】
請求項４において、上面の１辺の寸法より底面の１辺寸法を大きくした台形である事を特徴とする。
【請求項６】
請求項４において、枠の上面と底面の１辺を同一寸法とした垂直形である事を特徴とする。
【請求項７】
枠の高さ３センチメートルから１０センチメートルの枠面に通風孔を設ける事をする。
【発明の詳細な説明】
【技術分野】
【０００１】  本発明は料理を載せた角型の皿を積み重ねる事を可能とした簡便さと、折り畳める事等による厨房面積の有効利用、及び厨房から客先に運搬する場合の簡便さ、更に防塵効果のある角型置き枠台の形態に関する。
【背景技術】
【０００２】  従来円形の皿用の置き枠台は実存するが本発明の如き角型の台は現存しない。今般この様な角型の皿が多用されているにも拘わらず、それに対応した枠台が無く、料理従事者から切望されていた現状である。
【発明の開示】
【発明が解決しようとする課題】
【０００３】  正方形、及び長方形、その他多角形の料理を載せた状態の皿を積み重ねる有効な手段が無く、その改善方法を発明する事を課題とする。
【課題を解決する為の手段】
【０００４】  上記課題を解決する為に請求項記載の角型皿置き台は、正方形、及び長方形の料理をのせた状態の皿を積み重ねて一時的に保管できると共に、積み重ねた状態で料理を運搬出来る事、更に使用していない場合、置き枠台が折り畳める事で狭い厨房の中でも広い保管場所を必要としない有効的な手段である。積み重ねが可能である事から防塵効果、及び保温効果も期待出来る。〔請求項〕に記載していないが正方形、或いは長方形に限らず、その他の多角形の置き枠台についても同様である。
【発明の効果】
【０００５】  本発明は次の様な効果を奏する。〔請求項１〕から〔請求項７〕まで正方形、或いは長方形の角皿に適応した枠台に関する内容である。〔請求項１〕に記載される発明は、正方形、及び長方形の料理を載せた状態の料理皿を、テーブルに配膳するまで厨房内で一時的に保管する場合、広い場所を必要とせず、又配膳の為の運搬時にも極めて簡便な手段である。一時的な保管中、及び運搬中の防塵、料理の保温に対しても効果的である。
【０００６】〔請求項２〕に記載される発明は、正方形、及び長方形の４箇所の角が折り畳める事により、使用しない場合の枠の保管場所にも便利である。〔請求項３〕記載する様に枠の材質として５ミリメートル以下の薄く、食品衛生に適合したプラスチック材、金属板、ゴム、又紙、薄い木材を使用する事で軽く取り扱いが簡便である。
【０００７】〔請求項４〕に記載する様に、一般的に使用されている皿の大きさに合わせた一辺の大きさを１５センチメートルから４０センチメートルである事と、枠の高さが３センチメートルから１０センチメートルである事から、皿に料理を載せた状態で複数枚以上の皿を積み重ねる事ができる。
【０００８】〔請求項６〕に記載している様に、枠の上面と底辺の一辺の寸法を同一寸法としてもよいが、〔請求項６〕に記載する様に、一辺の上面の寸法を底面より小さくする事で積み重ねた場合、嵌まり込み状態で重ねられる為、枠の保管時狭い高さ空間でも有効に利用できる。又底面を上面より大きくする事で、より安定性が向上する。
【０００９】〔請求項７〕に記載されている様に、枠の高さ３センチメートルから１０センチメートルの面に一個以上の通風孔を設ける事で、複数個積み重ねられた料理皿の料理が過度に蒸される事を防止できると共に、又料理が冷めない為にも有効な方法である。
【００１０】〔請求項〕に記載していないが、正方形、或は長方形の角型皿だけの適用ではなくこれ以外の多角形の角型皿に適応用できる角型置き枠台も可能である。
【発明を実施する為の裁量形態】
【００１１】  この発明を実施例について説明する。まず、〔図１〕は現存する円型皿用置き枠台１の立体図である。枠の側面２には適当な大きさ、数の通気孔３が設けられており、皿に盛られた料理の蒸れ、冷めを防止できる。一般的な形態として上面４が下面５の円直径より小さく〔図２〕の側面図に示す如く積み重ねた場合、嵌め込み式になり枠台の保管時広い空間を必要としない。円形である事から折り畳む事は出来ない。
【００１２】  〔図３〕は本発明の基本的な形態を示す正方形、及び長方形の角型皿用置き枠台６の立体図である。枠の側面７には適当な大きさ、数の通気孔８が設けられている。上面一辺９の寸法が底面一辺１０より小さくする事で、〔図４の側面図〕に示す如く積み重ねた場合、嵌め込み式になり枠台の保管時広い空間を必要としない事は円型枠台と同様である。
【００１３】  〔図５〕は４辺形の４箇所の角１１を折り畳む方法として１箇所の角部分を示した平面図である。材質がプラスチック材、ゴムなどの場合、この角１１の厚さを曲げに対する耐久性の向上の為薄い肉厚とする。〔図６〕は〔図５〕と同様、角１１を折り畳む方法で、木材等の場合で角１１の内側、又は外側に蝶番１２を設けた実施例を示す。図示しないが、この蝶番１２は対接する２辺の枠板１３を蝶番構造にしても、又〔図６〕の蝶番１２の替わりにこの角の部分に伸縮性のある布、ゴム等のシートを貼り付けてもよい。又、蝶番の代わりに紐、或いは糸等で結んでも構わない。
〔図７〕に示す平面図の形に枠の４平面１４を切り出し、点線１５で示す部分を折り曲げ、残り１辺１６のみを伸縮性のあるシートで貼り付けてもよい。〔図８〕は正方形、及び長方形の折り畳んだ枠台１７の平面図である。この様に折り畳んだ場合、材料の厚さ２枚分の厚さになり、平面的には角のあるＶ字形の形状になる。
【００１４】  〔図１〕から〔図８〕まで台形の枠の平面形状を示したが、台形ではなく〔図９〕の立体図に示す如く垂直形の枠台１８でも構わない。この場合、枠の保管時多くの積み重ねが出来ない不利もある反面、コスト的には台形型枠と比較して、より安価に製造できる利点がある。〔図１０〕は枠の形状が正方形ではなく、長方形の枠台１９を示した立体図である。
2006255345.tif 000002
2006255345.tif 000003
2006255345.tif 000004
2006255345.tif 000005
(57)【要約】      （修正有）【課題】      ビニール袋で簡単に食品等を新鮮保存さするということ。【解決手段】  一般家庭用の掃除機のホースの先に器具を取り付けビニール袋の空気を抜き真空にする様にした。【選択図】  図１
2006255350.tif 000002
【特許請求の範囲】
【請求項１】
家庭用掃除機の吸い込み口に付けてビニール袋内中の空気を吸い込み真空にするために付ける器具。
【発明の詳細な説明】
【技術分野】
【０００１】  本発明は、一般家庭用の掃除機を使いビニール袋内を真空にする器具。
【背景技術】
【０００２】食品等の鮮度を保ち簡単に保存させるため。
【発明の開示】
【発明が解決しようとする課題】
【０００３】  いろいろな食品等の鮮度、保存を目的とし、通常より長持ちさせるためを目的とする。
【課題を解決するための手段】
【０００４】  上記目的を達成するため、細い器具をビニール袋の口に差込簡単に空気が抜け真空にすることができるようにした。
【発明の効果】
【０００５】  上述したように家庭にある掃除機に、器具を付けるだけなので簡単で低コストでの真空保存が可能になり、食品等の鮮度を保ち保存することができる。
【発明を実施するための最良の形態】
【０００６】以下、本発明の実施の形態を図１に基ついて説明する。【０００７】  図においては、１は掃除機のホース先へのはめ込み部分で、ビニール袋に３の吸い込み口を差し入れ袋の口を手で押さえ掃除機を作動させる。
【図面の簡単な説明】
【０００８】
【図１】  本発明の部品の平面図である。
【図１】
2006255350.tif 000003
(57)【要約】      （修正有）【課題】  今、市場に出ている毛玉とりは、電池式、手動のカミソリ式とかいろいろあるがあまり取れない。又、良く取れると取れすぎて素材を傷つける場合があり、電池を使うものは環境に優しくない。    従来の毛玉取りは、ペットの毛とか、ジュウタンのホコリ等が取れないため、それぞれの機能の物が、あと２つ必要になる。【解決手段】    ハードチュール・７０デニールを渦巻状に巻く事により、従来の刃で切り取る方法と違う毛玉取りが出来た。この毛玉取りは、毛玉を絡め取るという全く新しい発想である。又、電池も使わず環境に優しく経済的である。軽くて子供がいたずらしてもケガをせず、じゃまにもならず綺麗で便利である。その上ペットの毛、ジュータンのホコリもこれ一つで解決するため一石三鳥である。材質が手軽な為、ペット用、キャラクター等いろいろなデザインが可能である。【選択図】図５
2006255339.tif 000002
【特許請求の範囲】
【請求項１】
ハードチュール・７０デニールにギャザーを入れ固く渦巻状にして使用する事で毛糸のセーターやフリース等の毛玉が簡単に取れる事を発見した。
【請求項２】
ハードチュール・７０デニールにギャザーを入れ固く渦巻状にして使用する事でジュウタン等の敷物のホコリやペットの毛も絡め取る事が出来る。
【請求項３】
素材が軽い為、誰が使っても危険ではなく色々なデザインが可能である。
【請求項４】
渦巻状のハードチュールをカップに入れる事により握り易く、鉢花の様な可愛らしいデザインにした。
【発明の詳細な説明】
【技術分野】
【０００１】本発明は、ハードチュール・７０デニールを使う事に依り洋服、ジュウタン等の素材を傷つけずに毛玉、又はペットの毛を絡み取る事が出来る。【０００２】軽いハードチュールを使用する事に依り、子供が悪戯しても危なくない為、誰もが手にしたくなる様な色々なデザインが考えられる。
［技術背景］【０００３】従来、毛玉取りは電池式や手動式で刃がついている物とか色々市場に出回っているが、安全すぎると毛玉が良く取れなかったり、良く取れると素材そのものを傷つけ、洋服等に穴があき使い物にならない場合がある為、購入しても最初だけで、後は家の中で使われていない事が多い。【０００４】それに従来の毛玉取りは、毛玉取りだけの機能しか無く、ペットの毛とか、ジュウタンのホコリを取る事は出来ない。
［発明の開示］
［発明が解決しようとする課題］【０００５】従来の毛玉取りは期待した様に、充分毛玉が取れない。それに重く電池も使うために経済的ではない。良く切れる毛玉取りは、洋服等素材そのものを傷つけ着られなくなる場合がある。
［課題を解決するための手段］【０００６】この毛玉取りは従来の様に刃を使う訳ではなく、このハードチュールそのものが毛玉を絡め取るため刃を必要としない。
［発明の効果］【０００７】電池も刃も必要としないため、とても軽くて安全である。ペットの毛やジュウタンのホコリも絡め取ることが出来る。そのため１つの毛玉取りで三つの機能を同時に併せ持つ事ができる。
［発明を実施するための最良の形態］【０００８】ハードチュール・７０デニールを使用しギャザーを寄せて渦巻状に固く巻く事により、毛玉、ペットの毛がより良く取れる。
［実施例１］【０００９】図１は、１の７０デニールのハードチュールにギャザーを入れながら中央にミシンで縫っていく図である。【００１０】図２は、２のミシンの縫い目を２つに折っていく途中の図である。【００１１】図３は、２のミシン目にそって２つに折った１のハードチュールを固く巻いていく途中の図である。【００１２】図４は、１のハードチュールを巻き終り、紐で留めた所である。【００１３】図５は、巻いた１のハードチュールをカップに入れ接着剤で留め飾り紐をつけた出来上がり図である。【００１４】図６は、ハードチュールを両側共使える様にしたデザイン図である。
【図面の簡単な説明】
【００１５】［図１］ハードチュールの中心にギャザーを入れる図である。
［図２］縫い目から折り曲げる途中の図である。
［図３］２つに折り曲げたハードチュールを巻いていく途中の図である。
［図４］巻いたハードチュールを解けない様に紐で留めた図である。
［図５］カップに巻いたハードチュールを挿入し紐をつけた完成図である。
［図６］両面にハードチュールをつけた図である。
【符号の説明】
【００１６】１  ハードチュール・７０デニール
２  ミシン目
３  留め紐
４  プラスチックカップ
５  飾り紐
６  筒
【図１】
2006255339.tif 000003
【図２】
2006255339.tif 000004
【図３】
2006255339.tif 000005
【図４】
2006255339.tif 000006
【図５】
2006255339.tif 000007
【図６】
2006255339.tif 000008
(57)【要約】【課題】  出張や旅行の際にも気軽に携行して、いつでもどこでも供養ができる携帯厨子を提供すること。【解決手段】  蓋付きのケーシング本体内に、両端の垂直片と水平な枠とから成るベースに御本尊を収めるためのホルダーを起伏自在に枢支したものを収納し、ケーシング本体の底板と前記水平な枠との間の空間部を小物入れとしたことを特徴とする。【選択図】        図２
2006255381.tif 000002
【特許請求の範囲】
【請求項１】
蓋付きのケーシング本体内に、両端の垂直片と水平な枠とから成るベースに御本尊を収めるためのホルダーを起伏自在に枢支したものを収納し、ケーシング本体の底板と前記水平な枠との間の空間部を小物入れとしたことを特徴とする携帯厨子。
【発明の詳細な説明】
【技術分野】
【０００１】  本発明は、出張や派行の際にも気軽に携行して、いつでも供養ができる携帯厨子に関するものである。
【背景技術】
【０００２】
【特許文献】  特開平１１−１１３７３１
【発明の開示】
【発明が解決しようとする課題】
【０００３】  従来から持ち運びできる携帯仏壇として、特開平１１−１１３７３１に示される発明があるが、この仏壇は、持ち運びできる取っ手付きの携帯ボックス型の箱の蓋裏に三面鏡風の掛け軸掛けを設けた下部に、仏具が納められる引き出しを組み合わせた簡易携帯仏壇とすることで、どんな場所でも持ち運びのできる仏壇ではあった。【０００４】  然しながら、この特開平１１−１１３７３１に記載される仏壇は、仏具一式を収納できる引き出し付きのボックスタイプの仏壇であるので、カバンやバッグに入れて旅行等に携行できる大きさでないことはもとより、重量もあるため気軽に持ち歩けるような仏壇とは言えない等の不便さや欠点が多い仏壇であった。
【発明の目的】
【０００５】  本発明は、元来礼拝とは、故人や祖先を敬い、日々感謝する気持を表わすために行うものであるところから、旅行中等携行者に負担のかかる仏壇という大仰なものは必要とせず、礼拝に必要な最低限の御本尊さえあればよいことに鑑み、出張や旅行の際にも気軽に携行して、いつでもどこでも供養ができる携帯厨子を提供することを目的とするものである。
【課題を解決するための手段】
【０００６】  本発明に係る携帯厨子は、蓋付きのケーシング本体内に、両端の垂直片と水平な枠とから成るベースに御本尊を収めるためのホルダーを起伏自在に枢支したものを収納し、ケーシング本体の底板と前記水平な枠との間の空間部を小物入れとしたことを特徴とするものである。
【発明の作用】
【０００７】  蓋を開け、ホルダーを起立させるだけで礼拝の準備ができ、小物入れから数珠等の仏具を簡単に取り出せる。
【発明を実施するための最良の形態】
【０００８】  図１は、本発明厨子の蓋を閉じた状態の斜視図、図２は、蓋を開けた状態の分解斜視図、図３は、礼拝する前の蓋を開けた状態の斜視図、図４は、礼拝するときの状態を表わす斜視図である。【０００９】  図において、１は、厨子本体を構成するケーシング本体であって、蓋１−１の一端がケーシング本体１にピンａにて枢支され、蓋１−１の他端の凹部がケーシング本体１の係止爪ｂに係合して簡単には蓋が開かないようになっている。【００１０】  ２は、御本尊ｃを収めるためのホルダーであって、両端の垂直片３−１、３−１と水平な枠３−２とから成るホルダー２のベース３に起伏自在に枢支され、ホルダー２の四隅には御本尊ｃの脱落を防止する止め片２−１・・・２−１が一体形成されている。【００１１】  ホルダー２のベース３の両端の垂直片３−１、３−１は、ケーシング本体１に簡単には抜け落ちない程度に嵌着されており、ケーシング本体１の底板１−２と水平な枠３−２との間にできる空間部ｄに数珠等を入れる小物入れが形成されている。【００１２】  尚、図１に示すようにケーシング本体１の一部に鎖やストラップを取り付けるための取付ロッド１−３を設けておけば、携帯の際身に付けて携行することができ、紛失の恐れがなくて便利であり、図４に示すように蓋を開けてホルダーを起立させた後、蓋をホルダー２側に倒せば体裁がよいもので、蓋がホルダーの不測の倒れ防止の作用をするものである。
【発明の効果】
【００１３】  本発明に係る携帯厨子によれば、蓋付きのケーシング本体内に、両端の垂直片と水平な枠とから成るベースに御本尊を収めるためのホルダーを起伏自在に枢支したものを収納し、ケーシング本体の底板と前記水平な枠との間の空間部を小物入れとしたものであるから、、出張や旅行の際にも気軽に携行して、いつでもどこでも供養ができるもので、ケーシングを木製にして漆塗り等の装飾を施すことによって従来の携帯仏壇と遜色のない携帯厨子を提供することができるものである。
【図面の簡単な説明】
【００１４】
【図１】本発明厨子の蓋を閉じた状態の斜視図である。
【図２】蓋を開けた状態の分解斜視図である。
【図３】礼拝する前の蓋を開けた状態の斜視図である。
【図４】礼拝するときの状態を表わす斜視図である。
【符号の説明】
【００１５】１          ケーシング本体
２          ホルダー
３          ベース
【図１】
2006255381.tif 000003
【図２】
2006255381.tif 000004
【図３】
2006255381.tif 000005
【図４】
2006255381.tif 000006
(57)【要約】【課題】従来の服用忘れ防止のための薬箱は、薬を予め仕切り毎に区分収納する煩わしさ、あるいは、複数の回転盤を設置する構造上の複雑さや、服用回数によりダイヤルを回転すべき歯数を選択しなければならない煩雑さがあった。【解決手段】薬の１日当り服用回数別に、ダイヤルの表面あるいは裏面に、円周を等分して曜日および服用回を目盛表示し、円周側面に目盛毎に山・谷を刻んだ歯車状のダイヤルを複数個用意し、それらのダイヤルの内の１個を服用回数に応じて選択し、それをダイヤル３として、箱１と蓋２からなる薬箱の箱１の正面に取り付け、蓋２の正面にダイヤル３の最上部の山と係合する位置に止め具４を設ける。【選択図】図１
2006255356.tif 000002
【特許請求の範囲】
【請求項１】
薬の１日当りの服用回数別に、ダイヤルの表面あるいは裏面に、円周を等分して曜日および服用回を目盛表示し、円周側面に目盛毎に山・谷を刻んだ歯車状の複数個のダイヤルと、それらのダイヤルの内の１個を服用回数に応じて選択し、それをダイヤル３として、箱１と蓋２からなる薬箱の箱１の正面に取り付け、蓋２の正面にダイヤル３と係合する位置に止め具４を設けた薬箱。
【発明の詳細な説明】
【技術分野】
【０００１】  この発明は、薬を服用したかどうかを確認できる薬箱の装置に関するものである。
【背景技術】
【０００２】  従来の装置は、薬箱を複数の仕切りで区分するもの、あるいは、薬箱の箱正面に服用時期（あさ・ひる・よる）を記したダイヤルと曜日盤を設け、蓋にそのダイヤルと係合する位置に止め金を設けたものである。
【特許文献１】特許公開平１０−２２５５０２号公報
【発明の開示】
【発明が解決しようとする課題】
【０００３】  しかしながら、以上の技術によれば、前者においては、薬を予め仕切り毎に区分収納する煩わしさ、後者においては、複数の回転盤を設置する構造上の複雑さや、１日当り服用回数によりダイヤルを回転すべき歯数を選択しなければならない煩雑さがあった。【０００４】  そこで、この発明は、区分収納不要で、構造が簡単、かつ、１日当りの服用回数に関わらず１歯数のダイヤル回転ですむ薬箱を提供することを課題とする。
【課題を解決するための手段】
【０００５】  以上の課題を解決するために、この発明は、表面あるいは裏面に、１日当りの服用回数別に、円周を等分して曜日および服用回を目盛表示し、円周側面において目盛毎に山・谷を刻んだ歯車状の複数個のダイヤルを用意し、箱１と蓋２からなる薬箱の箱１の正面に、それら複数個あるダイヤルの内の１個を服用回数に応じて選択し、それをダイヤル３として取り付け、蓋２の正面にダイヤル３と係合する位置に止め具４を設けたものである事を特徴とする薬箱である。
【発明の効果】
【０００６】  ダイヤル３の山と止め具４が重なり合うようにダイヤル３を合わせると、蓋２は閉まったままの状態になる。次に、蓋２を開くには、ダイヤル３を次の山との間の谷まで回転させ、次に、蓋２を閉じたままにするには、次の山まで回転させなければならない。かくの如く、ダイヤル３を１目盛ずつ移動させなければ蓋２は開閉しない。従って、目盛表示を見れば、薬を服用した時期が確認できるので、服用忘れを防止することができる。
【発明を実施するための最良の形態】
【０００７】  この発明における複数個のダイヤルは、図２に示す１日当り服用回数が１回用と図３に示す１日当り服用回数が３回用との組合せである１・３回用ダイヤル３ａと、図４に示す１日当り服用回数が２回用と図５に示す１日当り服用回数が４回用との組合せである２・４回用ダイヤル３ｂと、図６に示す１日当り服用回数が５回用の５回用ダイヤル３ｃの３個が望ましい。【０００８】  何故ならば、これら３個のダイヤルの歯数は２１、２８、３５となり、これに比べ、１日当り服用回数１回用と２回用の組合せのダイヤルと、３回用と４回用の組合せのダイヤルと、単独５回用のダイヤルの３個の場合は、歯数が１４、８４、３５となり、前者の方が最大歯数において小さいからである。また、１日当りの服用回数は５回までは用意すべきである。【０００９】  これらダイヤル３ａ、ダイヤル３ｂ、ダイヤル３ｃの内の１個をダイヤル３として選択し、その両面の内、１日当りの服用回数に応じた片方の面を前面にし、それを箱１の正面に箱１から上に食み出すように螺子５で止める。止め具４を蓋２の正面にダイヤル３の最上部の山に重なり合うように設け、止め具４の歯幅は歯数が最大である５回用ダイヤル３ｃの谷の幅に合わせる。そして、蓋２の正面をダイヤル３と重なり合わない形状にし、箱１と蓋２は蝶番により背面にて連結し、バネにより蓋２が、ダイヤル３の最上部が谷の位置において、開くことができるようにする。箱１の横面の奥を高く前を低くすることにより、ダイヤル３の最上部が山の位置において、その山と止め具４をぶつかり合わせ、蓋２が開かないようにする。
【図面の簡単な説明】
【００１０】
【図１】薬箱の斜視図である。
【図２】１日当り服用回数が１回のための、１・３回用ダイヤルの表面図である。
【図３】１日当り服用回数が３回のための、１・３回用ダイヤルの裏面図である。
【図４】１日当り服用回数が２回のための、２・４回用ダイヤルの表面図である。
【図５】１日当り服用回数が４回のための、２・４回用ダイヤルの裏面図である。
【図６】１日当り服用回数が５回のための、５回用ダイヤルの表面図である。
【符号の説明】
【００１１】  １    箱                            ２    蓋
３    ダイヤル                      ３ａ  １・３回用ダイヤル
３ｂ  ２・４回用ダイヤル            ３ｃ  ５回用ダイヤル
４    止め具                        ５    螺子
【図１】
2006255356.tif 000003
【図２】
2006255356.tif 000004
【図３】
2006255356.tif 000005
【図４】
2006255356.tif 000006
【図５】
2006255356.tif 000007
【図６】
2006255356.tif 000008
(57)【要約】      （修正有）【課題】フェーススルー構造のヘッドはボールに対しエネルギーの伝達効率を高め回転率，直進性，距離感覚の精度が向上しカップインの回数も増すゴルフパターを提供する。【解決手段】フェース表面から裏面まで貫通穴を設けその開口部に異種材料による重り部材を挿入した。しかも重り部材をフェース面より突出させ直接的にボールを打つことでエネルギーのロスを最小限に抑えられる。又は、突部の位置や形状及び角度を変化させる事でボールの上下左右を打つことが可能であり最適な回転と直進性が得られる。例えばビリヤードの場合においてキュー先端で上下左右のポイントを打つと最適の回転が得られるのと同様である。【選択図】  図１
2006255358.tif 000002
【特許請求の範囲】
【請求項１】
ゴルフパターのフェース表面から裏面まで貫通穴上下１ミリから５０ミリ左右２０ミリから１００ミリを設け開口部に異種材料による重り部材を挿入する。
【請求項２】
重り部材がフェース面から０ミリ〜２０ミリ突出させたパターヘッドである。重り部材が直接的にボールを打つ事によりエネルギーのロスを最小限おさえる効果があり突出面の位置や形状及び角度を変化させることでボール対して最適の回転が得られる。
【請求項３】
フェース表面から裏面まで貫通させたパターにおいてその開口部に挿入する異種材料の重り部材で厚さ１ミリ〜５０ミリ幅２０ミリ〜１５０ミリ奥行５ミリ〜２００ミリをトゥーヒールバランス型，深重心バランス型など形状を変えることで重心位置を移動できる。
【請求項４】
フェースの素材と重り部分を異種素材にする事により比重差および硬度差がパターの重心移動を可能にする素材にはステンレス．アルミニウム．チタン．樹脂．タングステン．それらの合金が好ましい。
【発明の詳細な説明】
【発明の詳細な説明】
【０００１】［発明の属する技術分野］本発明はゴルフパターのフェース表面から裏面にいたるスルー構造にしたパターに関する。
【０００２】［従来の技術］従来のパターは一体成型のデザインや重心移動させる為に左右又は後方部分に重りを取付け調整している。又，フェース面にはソフトな接触感覚得るため深さ約２〜７ミリの溝を作り樹脂および金属素材を挿入している。
【０００３】［発明の効果］本発明はフェースを貫通し重り部材を挿入し突部で直接的にボールを打つのでエネルギーのロスを最小限にして、しかも回転率を適切にできることは距離感が合わせやすい。
【０００４】［発明が解決しょうとする課題］本発明の目的はフェース表面から裏面まで貫通させたその開口部に比重差のある重り部材を挿入し直接的なエネルギーの伝達と距離感を最適にするゴルフパターを提供することにある。
【０００５】［課題を解決するための手段］上記目的を解決するため本発明の第一はフェース表面から裏面部に貫通穴上下１ミリ〜５０ミリ左右２０ミリ〜１００ミリを設け，その開口部に重り部材厚さ１ミリ〜５０ミリ幅２０ミリ〜１５０ミリ奥行き５ミリ〜２００ミリを挿入する。
【０００６】第二の発明はフェース表面から裏面に貫通した開口部に重り部材がフェース表面より０ミリ〜５０ミリ突出させたのが特徴とするものである。
【０００７】［発明の実施の形態］図１及び図２は本発明の一例を示すものである。
【０００８】図１のパターヘッド１のボデー２はフェース部６から裏面に貫通されたフェース開口部７に別体の重り部材３が挿入されている。ボデー２のクラウン部の一端にシャフト４が装着されている。
【０００９】図２のパターヘッド１のボデー２はフェース表面から裏面に貫通された横長のフェース開口部７である。別体は重り部材３である。ボデー２のクラウン部の一端にシャフト４が装着されている。
【００１０】図３はフェース部６から裏面に貫通されたフェース開口部７に重り部材３が挿入されしかもフェース部６の表面から重り部材の一端が突出しており、ビリヤードのキューの先端で上下左右のポイントを打つのと同様の効果がある。
【００１１】図４は本発明のパターヘッド１を示す（ａ）は平面図（ｂ）は正面図（ｃ）は側面図である。
【００１２】図５は他の実施例のパターヘッドを示す斜視図である。
【図面の簡単な説明】
【図１】本発明第１からなるゴルフパターの一例を示す斜視図である。
【図２】本発明第１からなるゴルフパターを分離して示す斜視図である。
【図３】本発明第２からなるゴルフパターの使用時の様子を示す側面図である。
【図４】本発明を示す（ａ）は平面図（ｂ）は正面図（ｃ）は側面図である。
【図５】他の実施例のパターヘッドを示す斜視図である。
【符号の説明】
１パターヘッド２ボデー３重り部材４シャフト５シャフト穴６フェース部７フェース開口部８ゴルフボール
【図１】
2006255358.tif 000003
【図２】
2006255358.tif 000004
【図３】
2006255358.tif 000005
【図４】
2006255358.tif 000006
【図５】
2006255358.tif 000007
(57)【要約】【課題】  登山靴をアイゼンに取付ける爪先側のアイゼン前止め具を提供する。【解決手段】  ２個の連結管（２）（２）のそれぞれ片方の穴にフック（１）（１）を、もう一方のそれぞれの穴に鋼索の一端ずつを差し込み、そしてかしめた、可撓性のあることを特徴とするアイゼン前止め具。【選択図】  図１
2006255351.tif 000002
【特許請求の範囲】
【請求項１】
フック（１）（１）と鋼索（３）を連結管（２）（２）に固定したアイゼン前止め具。
【発明の詳細な説明】
【技術分野】
【０００１】  本発明は、登山靴をアイゼンに取付ける、爪先側のアイゼン前止め具に関するものである。
【背景技術】
【０００２】  従来、鋼線をほぼＵ字形に成形したアイゼン前止め具はあった。
【発明の開示】
【発明が解決しようとする課題】
【０００３】  これは、次のような欠点があった。
鋼線をほぼＵ字形に成形したアイゼン前止め具は剛性が強く、いろいろな登山靴の先端部の形状に合わないものがあった。また、合っていても部分的に隙間ができていたりした。そのため、気に入ったアイゼンがあっても、そのアイゼンを諦めなければならないこともあった。本発明は、これらの欠点を解決するためになされたものである。
【課題を解決するための手段】
【０００４】  ２個の連結管（２）（２）のそれぞれ片方の穴に、フック（１）（１）を、もう一方のそれぞれの穴に可撓性のある鋼索（３）の一端ずつを差し込み、そしてかしめる。以上の構成からなるアイゼン前止め具である。
【発明の効果】
【０００５】  本発明は、コバのある登山靴であれば、どんな形状の登山靴にも装着できる。
【発明を実施するための最良の形態】
【０００６】  以下、本発明の実施の形態について説明する。
２個の連結管（２）（２）のそれぞれ片方の穴に、フック（１）（１）を、もう一方のそれぞれの穴に可撓性のある鋼索（３）の一端ずつを差し込む。そして、連結管（２）をかしめ、フック（１）と鋼索（３）を連結管（２）に固定する。
尚、本発明における鋼索は、剛性の弱い、柔軟で可撓性のあるフレキシブルワイヤーの如きものが望ましい。本発明は以上のような構造で、これを使用する時は、アイゼン前止め具の両方のフック（１）（１）を、アイゼン（４）のフック用穴（５）（５）に差し込み、鋼索がアイゼンの前方上側にくるようにセットする。次に、登山靴（６）の前部のコバ（７）にアイゼン前止め具の鋼索（３）を押し当て、靴の後部のコバ（８）にバックル（９）の先端（１０）を当て、バックルを上に起こして締める。そうすると登山靴（６）は、バックル（９）とアイゼン前止め具の鋼索（３）に挟まれて、登山靴（６）にアイゼン（４）を装着することができる。この時、鋼索（３）は柔軟性があるから、どんな形状の登山靴（６）のコバ（７）にもピッタリと合う。
【図面の簡単な説明】
【０００７】
【図１】本発明の斜視図
【図２】本発明の分解斜視図
【図３】本発明の使用状態を示す斜視図
【符号の説明】
【０００８】１  フック
２  連結管
３  鋼索
４  アイゼン
５  フック用穴
６  登山靴
７  前部のコバ
８  後部のコバ
９  バックル
１０  バックルの先端
１１  脱落防止用テープ
【図１】
2006255351.tif 000003
【図２】
2006255351.tif 000004
【図３】
2006255351.tif 000005
(57)【要約】【課題】洗濯物ハンガーに取り付けて使用する補助具を提供する。【解決手段】補助具柄の中央部に開口部を設け、両端に袖吊り具を設け、別に、フック状支柱を中心に、左右にフード吊り具を設け、フック状支柱の底部にハンガー掛けを設置した、フード掛けを設けたことを特徴とする洗濯物ハンガーの補助具。【選択図】図１
2006255352.tif 000002
【特許請求の範囲】
【請求項１】
補助具柄の中央部に開口部を設け、両端に袖吊り具を設け、別に、フック状支柱を中心に、左右にフード吊り具を設け、フック状支柱の底部にハンガー掛けを設置した、フード掛けを設けたことを特徴とする洗濯物ハンガーの補助具。
【発明の詳細な説明】
【技術分野】
【０００１】  本発明は、洗濯物ハンガーだけでは乾燥しにくい長い袖、脇、フードを効率よく乾燥させるために、洗濯物ハンガーに取り付けて使用出来る、洗濯物ハンガーの補助具に関するものである。
【背景技術】
【０００２】  従来、洗濯物ハンガーそのものに長い袖、脇、フードを乾燥させ易くする装置をつけたものであったが、洗濯物ハンガーに取り付けて使用するものはなかった。
【発明の開示】
【発明が解決しようとする課題】
【０００３】  そのために、次のような問題点があった。
（イ）現在使用している洗濯物ハンガーを活用出来ない。
（ロ）長い袖、脇、フードを乾燥させ易くする目的以外の使用には不向きであった。
本発明は、この課題を解消するためになされたものである。
【課題を解決するための手段】
【０００４】  補助具柄の中央部に開口部を設け、両端に袖吊り具を設け、別に、フック状支柱を中心に、左右にフード吊り具を設け、フック状支柱の底部にハンガー掛けを設置した、フード掛けを設ける。以上を特徴とする洗濯物ハンガーの補助具である。
【発明の効果】
【０００５】  現在使用している洗濯物ハンガーを活用出来、長い袖、脇、フードを容易に乾燥させることが出来、その必要がない時は取り外す事が出来るので便利で合理的である。
【発明を実施するための最良の形態】
【０００６】  以下、本発明の実施の形態について説明する。
（イ）緩やかなカーブの全長５６０〜６００ｍｍの補助具柄（１）の両端（２）（３）と中央部（４）をリング状にし、両端（２）（３）に袖吊り具（５）をそれぞれ複数設ける。
（ロ）中央部（４）の直径は２５〜３０ｍｍ、両端の直径は３５〜４５ｍｍにする。
（ハ）フック部が回転するフック状支柱（６）を中心に、左上段に大人用フード吊り具（７）、下段に子供用フード吊り具（８）をそれぞれ１個設け、右上段に大人用フード吊り具（７）、下段に子供用フード吊り具（７）をそれぞれ１個設け、フック状支柱（６）の底部に回転するリング状のハンガー掛け（９）を設けた、フード掛け（１０）を別に設ける。
（ニ）フック状支柱は４００〜４２０ｍｍ、フード掛けの横幅は２３０〜２５０ｍｍ、大人用のフード吊り具（７）位置は高さ２８０〜３００ｍｍ、子供用のフード吊り具（８）位置は１６０〜１８０ｍｍとする。
本発明は以上のような構造で、これを使用するときは、洗濯物を従来の洗濯物ハンガー（１１）に干し、中央部（４）に従来の洗濯物ハンガー（１１）のフックを通し、物干し竿等にかけた後、左右の袖をそれぞれ袖吊り具（５）で吊る。さらに、フック状支柱（６）のフック部を物干し竿等にかけ、補助具で袖を吊った従来の洗濯物ハンガー（１１）をハンガー掛け（９）にかけて、フードをその大きさによって、大人用フード吊り具（７）、または、子供用フード吊り具（８）で吊り乾燥する。また、図３のように、フードを大人用フード吊り具（７）の上部にかけて乾燥しても良い。
【図面の簡単な説明】
【０００７】
【図１】本発明の分離斜視図
【図２】本発明の使用状態を示す正面図
【図３】本発明の別の使用状態を示す正面図
【符号の説明】
【０００８】    １        補助具柄
２・３    両端
４        中央部
５        袖吊り具
６        フック状支柱
７        大人用フード吊り具
８        子供用フード吊り具
９        ハンガー掛け
１０      フード掛け
１１      洗濯物ハンガー
【図１】
2006255352.tif 000003
【図２】
2006255352.tif 000004
【図３】
2006255352.tif 000005
(57)【要約】      （修正有）【課題】ハンガーに、物を入れる機能を持たせる。【解決手段】ハンガーにネットをもうけ、掛けることの難しい物を収納可能にする。【選択図】図１
2006255360.tif 000002
【特許請求の範囲】
【請求項１】
ハンガーにネットをつける。
【請求項２】
ハンガーは１０キログラム程度の重さに耐えるもの、ネットは袋状とする。
【発明の詳細な説明】
【技術分野】
【０００１】  この発明は、ハンガーの機能を掛けるイメージから入れるイメージに変えるものである。
【背景技術】
【０００２】  本来、ハンガーは洗濯物の衣服やタオルなどを掛けるものであり、掛けることが難しいものには使いづらいものであった。
【発明の開示】
【発明が解決しようとする課題】
【０００３】  従来のハンガーは、物を掛けるという機能しかなく、掛けることが難しいものには使い難いものであった。しかし、ネットハンガーは、物を入れるという発想でそれを容易にした。
【課題を解決するための手段】
【０００４】  今回のネットハンガーは、洗った重い靴を入れて乾かすとき、または、大きな枕を日に干すときに使うものである。
【発明の効果】
【０００５】  掛けたり、引っ掛けたりする洗濯物を乾かす、または、日に干すことを可能にした。
【発明を実施するための最良の形態】
【０００６】  この発明の一実施形態を、図１に示す。【０００７】「実施形態の効果」
この実施形態によれば、ある程度大きなそして重いものを入れることができる。【０００８】「他の実施形態」
図１の実施形態では、ハンガー２つにネット袋がついているが、他の実施形態では、ハンガー１つにネット袋がついたものでも良い。
【図面の簡単な説明】
【０００９】
【図１】二つのハンガーにネット袋がついた斜視図。
【図２】一つのハンガーにネット袋がついた斜視図。
【符号の説明】
【００１０】  １  ハンガー    ２  ネット袋
【図１】
2006255360.tif 000003
【図２】
2006255360.tif 000004
(57)【要約】      （修正有）【課題】従来の家具類の棚やおもちゃなどにおける組み合わせ式ブロックにおいては、自由にかつしっかりと組み合わせることが出来にくかった。組み合わせることが出来ても、単に積載できるのみで、簡単に外れるなどの問題点があった。【解決手段】家具類の棚やおもちゃなどにおける組み合わせ式ブロックにおいて、勘合用の櫛の歯状溝１を有する部材２を使用して、複数のブロックの組み合わせ時においては、着脱交換式とした組み合わせ式にしたものである。【選択図】図１
2006255355.tif 000002
【特許請求の範囲】
【請求項１】
勘合用の櫛の歯状溝１を有する部材２から構成され、複数の部材２の組み合わせの場合には、複数の前記部材２が、前記櫛の歯状溝１を利用して自由に組み合わせ結合することを特徴とする組み合わせ自由なブロック。
【請求項２】
勘合用の櫛の歯状溝１の形状において、部材２の勘合組み合わせ時に、勘合用の櫛の歯状溝１の溝幅が止り嵌めになるよう構成されることを特徴とする請求項１に記載の組み合わせ自由なブロック。
【発明の詳細な説明】
【技術分野】
【０００１】  本発明は、家具類の棚やおもちゃなどに使用する組み合わせ自由なブロックに関する。
【背景技術】
【０００２】  従来の家具類の棚などにおいて、単体で使用するよりも組み合わせて使用すると、品物の納入も変化を付けて納入可能で便利に使用でき、更にデザイン的にも見栄えをよくすることも可能になる。おもちゃにおいては自由に組み合わせることが出来れば、子供の創造性を高める効果もあり、従来幾つかの商品も販売されている。
【発明の開示】
本発明は、家具類の棚やおもちゃなどにおける組み合わせ自由なブロックにおいて、自由にかつしっかりと組み合わせできるブロックを開示する。
【発明が解決しようとする課題】
【０００３】  従来の家具類の棚やおもちゃなどにおける組み合わせ式ブロックにおいては、自由にかつしっかりと組み合わせることが出来にくかった。組み合わせることが出来ても、単に積載できるのみで、簡単に外れるなどの問題点があった。
【０００４】  そこで、本発明は、家具類の棚やおもちゃなどにおける組み合わせ式ブロックにおいて、自由にかつしっかりと組み合わせできるブロックを提供できるようにすることを課題とする。
【課題を解決するための手段】
【０００５】  上記目的を達成するために、家具類の棚やおもちゃなどにおける組み合わせ式ブロックにおいて、勘合用の櫛の歯状溝１を有する部材２を使用して、複数のブロックの組み合わせ時においては、着脱交換式とした組み合わせ式にしたものである。
【０００６】  上記の組み合わせ式とするために、勘合用の櫛の歯状溝１の形状において、部材２の勘合組み合わせ時に、勘合用の櫛の歯状溝１の溝幅が止り嵌めとなるように構成する。止り嵌めの形状としたため、しまり嵌めとなったり、すきま嵌めとなったりするから、着脱も可能で、かつ少し叩き込み勝手としてしっかりと組み合わせることになる。嵌め込みし易いように、端部を少し面取りしたり、また中央部の溝幅を隙間がなく、さらに締まり勝手の形状としてもよい。
【０００７】  前記部材２の構成としては、一体型または組み合わせ式として構成してもよい。
【０００８】  前記部材２は、一体型として構成する場合、勘合用の櫛の歯状溝１を有する一体形状の部材２を使用してもよい。
【０００９】  または、前記部材２は、組み合わせ式として構成する場合、勘合用の櫛の歯状溝１を有する平形状板の部材２を使用してもよい。
【発明の効果】
【０００１０】  本発明は、以上説明したように構成されているので、以下に記載されるような効果を奏する。
【０００１１】  勘合用の櫛の歯状溝１の形状において、部材２の勘合組み合わせ時に、勘合用の櫛の歯状溝１の溝幅が止り嵌めとなるように構成する。止り嵌めの形状としたため、しまり嵌めとなったり、すきま嵌めとなったりするから、着脱も可能で、かつ少し叩き込み勝手としてしっかりと組み合わせることができる。自由に着脱出来ると共にしっかりとはめ込むことも可能になる。
【０００１２】  具体的には、従来の家具類の棚などにおいて、単体で使用するよりも組み合わせて使用すると、品物の納入も変化を付けて納入可能で便利に使用でき、更にデザイン的にも見栄えをよくすることも可能になる。さらに、部屋の間取りや配置に応じて組み合わせを自由に変更することも可能である。おもちゃにおいては自由に組み合わせることが出来れば、子供の創造性を高める効果もある。
【発明を実施するための最良の形態】
【０００１３】    本発明の実施形態について図面を参照して説明する。図１において、１は勘合用の櫛の歯状溝の形状である。２は部材である。部材２に勘合用の櫛の歯状溝１を構成する。この歯状溝１と凸部４の勘合によって自由に組立てることが出来る。
【実施例１】
【０００１４】  図１の例において、１は勘合用の櫛の歯状溝の形状である。２は部材である。部材２に勘合用の櫛の歯状溝１を構成する。この歯状溝１と凸部４の勘合によって自由に組立てることが出来る。勘合の度合いは、止り嵌めになるよう構成される。図１の部材２は、一体型のブロックである。
【実施例２】
【０００１５】  部材２は、組み合わせ式として構成する場合、勘合用の櫛の歯状溝１を有する平形状板の部材２を使用してもよい。図２と図３に、平形状板の部材２の形状例を示す。図３の切り欠き部３を形成することによって、図２、図３の組み合わせにおいて、図１の一体型における溝１と凸４と同様の構成にすることが出来る。【０００１６】  図４と図５に、組み合わせ自由なブロックの組立て例を示す。この他にも種々な組み合わせが可能である。
【産業上の利用可能性】
【０００１７】  本発明は、家具類の棚などにおいて、単体で使用するよりも組み合わせて使用すると、品物の納入も変化を付けて納入可能で便利に使用でき、更にデザイン的にも見栄えをよくすることも可能になる。さらに、部屋の間取りや配置に応じて組み合わせを自由に変更することも可能である。このように家具類に使用できる。更に、おもちゃにおいては自由に組み合わせることが出来れば、子供の創造性を高める効果もあり、おもちゃなどにも利用することが出来る。新しい効果作用を有する組み合わせ自由なブロックとして大いに産業に利用することが出来る。
【図面の簡単な説明】
【０００１８】
【図１】  本発明の組み合わせ自由なブロックの概略図。
【図２】  本発明の組み合わせ自由なブロックの他の実施例を示す概略図。
【図３】  本発明の組み合わせ自由なブロックの他の実施例を示す概略図。
【図４】  本発明の組み合わせ自由なブロックの他の実施例を示す概略図。
【図５】  本発明の組み合わせ自由なブロックの他の実施例を示す概略図。
【符合の説明】
【０００１９】１：勘合用の櫛の歯状溝、
２：勘合用の櫛の歯状溝１を有する部材，
３：勘合用の櫛の歯状溝１を有する平形状板の部材の切り欠き，
４：勘合用の櫛の歯状溝の凸部
【図１】
2006255355.tif 000003
【図２】
2006255355.tif 000004
【図３】
2006255355.tif 000005
【図４】
2006255355.tif 000006
【図５】
2006255355.tif 000007
(57)【要約】【課題】おたまの皿部の底面に突起物が設けており、カレーやシチューなどのルーや固体の物を溶かし混ぜる為や汁状の物をよくかき混ぜる為におたまの皿部の底面に突起物が設けられているおたまを提供する。【解決の手段】おたま皿部の底面に複数の突起物を設けることによって、よくかき混ぜられるようにしたことを特徴とするおたま。【選択図】図１
2006255353.tif 000002
【特許請求の範囲】
【請求項１】
おたま皿部の底面に複数の突起物を設けたことを特徴とするおたま。
【発明の詳細な説明】
【技術分野】
【０００１】本発明は、おたまの皿部の底面に突起物が設けており、カレーやシチューなどのルーや固体の物を溶かし混ぜる為や汁状の物をよくかき混ぜる為におたまの皿部の底面に突起物が設けられているおたまに関する。
【背景技術】
【０００２】従来のおたまの仕組みは、おたまの皿部に複数の穴があいているものや、ただ単に曲面状に形成されていた物しかなかった。
【発明の開示】
【発明が解決しようとする課題】
【０００３】そのために、次のような問題点があった。
カレーやシチューを作っている際にルーが溶けてなく、よく混ざっていなくて鍋の底に固まっていたりした時、普通のおたまでは皿部の底面が、曲面状になっている為、摩擦面が小さい為にいくらかき混ぜても混ざりきれない欠点があり固体の物を、溶かし混ぜる為や汁状の物をよくかき混ぜる際に本発明は、これらの問題点を解決する為、広い分野で使用出来る為になされたものである。
【課題を解決するための手段】
【０００４】おたま皿部の底面に複数の突起物を設けることによって、よくかき混ぜられるようにしたおたまである。
【発明の効果】
【０００５】カレーやシチューのルーなどがよく溶けてなくて鍋の底に固まっている時や固体の物を溶かし混ぜる際や汁状の物をよくかき混ぜる時、皿部の底面に設けられている突起物で押し潰しながらよくかき混ぜ溶かすことが出来る。
【発明を実施するための最良の形態】
【０００６】以下、本発明の実施の形態について説明する。
（イ）柄部（１）と皿部（２）からなるおたま本体（４）の皿部（２）の底面に複数の突起物（３）を設ける。
発明は以上のような構成で、これを使用するときは、おたま本体（４）を手に持ち、カレーやシチューを作っている際ルーがよく溶けてなく混ざっていなくて鍋の底に固まっている時、おたま本体（４）の皿部（２）に設けられている突起物（３）で鍋の中を押し潰しながらよくかき混ぜると突起物（３）の働きで摩擦が生じる為にルーが鍋全体に均等に混ざり合う。
【図面の簡単な説明】
【０００７】
【図１】本発明の斜視図
【図２】本発明の背面図
【符号の説明】
【０００８】１  柄部
２  皿部
３  突起物
４  おたま本体
【図１】
2006255353.tif 000003
【図２】
2006255353.tif 000004
(57)【要約】【課題】  自然に育まれたお茶葉の持つ特性を、いかに発揮出来るのか、マスクの持つ特性に合わせ試作した。【解決手段】飲料用のお茶葉を、適度な粒にし、袋に詰め、均一に配列するよう、ます目状に縫製した、マスク本体には装着部を設け、取り外しが、簡単にできるようにした、マスク使用中は香気成分・抗菌・消臭機能など、お茶葉が持つといわれている特性でリラックス効果も期待できる。【選択図】  図２
2006255376.tif 000002
【特許請求の範囲】
【請求項１】
お茶葉を均一に配置した収納袋をマスク本体部に装着した、衛生マスク。
【請求項２】
お茶葉の成分抽出液を結合したフィルターをマスク本体部に装着した、衛生マスク。
【発明の詳細な説明】
【技術分野】
【０００１】  本発明は、抗菌、消臭機能に加え、２００種類もの香気成分を持つ日本茶葉を、袋に均一に配置し、マスクの本体部に収納部を設け、装着し使用する、衛生マスク。
【背景技術】
【０００２】  マスクは、従来より抗菌・消臭加工された商品が数多く有るが、その多くが化学物質を使用している、その化学物質によりアレルギー等の新たなストレスが生み出される場合があった。
【発明の開示】
【発明が解決しようとする課題】
【０００３】  衛生マスク装着使用時に発生する、臭いの軽減、ストレスの軽減。
【課題を解決するための手段】
【０００４】  お茶葉成分である優れた抗菌・消臭機能を活かし、衛生マスクに装着使用する。
【発明効果】
【０００５】  日本茶葉に含まれ抗菌・消臭効果に優れているカテキンと茶葉サポニンそれに香気成分は気持ちを和ませ、小脳細胞に休息と活力を、又ストレスを緩和するとも言われている。
【発明を実施するための最良の形態】  本発明は、図面で説明すれば、お茶葉１をお茶葉収納袋２に均一に配置し、マスク本体部３にお茶葉収納袋装着部５を設け、装着し使用するものである。
【図面の簡単な説明】
【図１】      お茶葉収納袋斜視図である。
【図２】      お茶葉収納袋装着マスク斜視図である。
【符号の説明】
１  お茶葉
２  お茶葉収納袋
３  マスク本体
４  耳かけ紐
５  お茶葉収納袋装着部
【図１】
2006255376.tif 000003
【図２】
2006255376.tif 000004